【事件の表示】
　特願２００３−１２９３８３号「ピッチ変換用コネクタ」拒絶査定不服審判事件〔平成１６年１１月２５日出願公開、特開２００４−３３５２５８号〕について、次のとおり審決する。
【結　論】
　本件審判の請求は、成り立たない。
【理　由】
１．手続の経緯
　本件に係る出願（以下「本願」という。）は、平成１５年５月７日の特許出願であって、平成２１年２月６日付けで拒絶査定がなされ（発送日：同年２月１０日）、これに対し、同年３月１１日に拒絶査定不服審判の請求がなされ、同日付けで手続補正がなされたものである。  
 　  
２．本願発明について
　本願の請求項１に係る発明（以下「本願発明」という。）は、平成２１年３月１１日付け手続補正書により補正された明細書および図面の記載からみて、その特許請求の範囲の請求項１に記載された事項により特定される次のとおりのものである。
「一端を一方の接続対象物に接続される複数の第１の端子と、各第１の端子を幅方向に所定間隔をおいて保持する第１のハウジングと、一端を他方の接続対象物に接続される複数の第２の端子と、各第２の端子を幅方向に所定間隔をおいて保持する第２のハウジングとを備え、互いに端子間ピッチの異なる各第１の端子と各第２の端子とを接続するピッチ変換用コネクタにおいて、前記各ハウジング間に設けられ、一端側が各第１の端子の他端に接続され、他端側が各第２の端子の他端に接続されるピッチ変換基板と、第１のハウジングと第２のハウジングとの間に設けられ、第２のハウジングに係合する中間ハウジングとを備え、ピッチ変換基板には、一端側及び他端側が各第１の端子及び各第２の端子のピッチにそれぞれ対応し、各第１の端子及び各第２の端子に接触することにより各第１の端子と各第２の端子とを導通する複数の導電部と、中間ハウジングの所定部分に係止することによって第２の端子との接続解除方向への移動を規制する係止部とを設け、ピッチ変換基板の一端側と他端側のうち導電部のピッチが狭い方を広い方よりも幅が小さくなるように形成し、ピッチ変換基板の係止部をピッチ変換基板の一端側と他端側のうち幅の大きい部分によって形成したことを特徴とするピッチ変換用コネクタ。」
　
３．刊行物について 
(1)原査定の拒絶の理由において提示された、本願の出願前に頒布された刊行物である特開平６−３３３６５２号公報（以下「刊行物１」という。）には、図面と共に次の事項が記載されている。
a)「【請求項１】 配線基板と、この配線基板の縁に設けられた絶縁枠と、この絶縁枠に並設された接続用端子群とを備え、
前記接続用端子群は、
第１の電子部品から導出された複数の外部端子と同一のピッチで並設され
外部端子に嵌合する複数の第１の接続用端子と、第２の電子部品から導出された複数の外部端子と同一のピッチで並設され
外部端子に嵌合する複数の第２の接続用端子とからなり
前記各第１の接続用端子と前記各第２の接続用端子は、前記配線基板のそれぞれのラインを介して短絡された
b)「【産業上の利用分野】この発明は、
複数の電子部品を相互に接続するための電子部品用端子ピッチ変換コネクタ
c)「【従来の技術】複数の電子部品の相互接続において、両者の電子部品間に専用のコネクタを介在させることがある。
　図２には、この種のコネクタ２１が例示されている。このコネクタ２１は、複数の接続用端子２２−１〜２２−５をハウジング２３に内蔵したものである。これらの接続用端子２２−１〜２２−５は、それぞれが独自の形状に曲げられており、これにより各接続用端子２２−１〜２２−５の上端のピッチが広く、かつ各接続用端子２２−１〜２２−５の下端のピッチが狭くされている。これらの接続用端子２２−１〜２２−５の上端には、第１の電子部品２４から導出された広いピッチの各外部端子２５が嵌合され、これらの接続用端子２２−１〜２２−５の下端には、第２の電子部品２６から導出された狭いピッチの各外部端子２７が嵌合され、これにより第１の電子部品２４と第２の電子部品２６が相互に接続される。
　このように一方の電子部品の各外部端子のピッチと、他方の電子部品の各外部端子のピッチが異なる場合は、両者の電子部品をコネクタを介して接続する。
　また、電子部品を配線基板に搭載する場合、一般には、配線基板の各配線のピッチを電子部品の各外部端子のピッチに一致させておき、電子部品の各外部端子を配線基板の各配線に半田付けする。
　しかしながら、電子部品を変更して、新たな電子部品を配線基板に搭載する場合に、この新たな電子部品の各外部端子のピッチが配線基板の各配線のピッチに一致しないことがある。このようなときには、上記コネクタが有効となる。つまり、コネクタを配線基板に半田付けしてから、新たな電子部品をコネクタを介して配線基板に接続すれば良い。また、電子部品をコネクタを介して配線基板に接続すると、電子部品を半田付けする必要がないので、電子部品が高温に晒されないという利点や、電子部品の着脱が自在であるという利点がある。」（段落【0002】〜【0006】） 
d)「【発明が解決しようとする課題】ところが、上記従来のコネクタは、少量、多品種の傾向にある。これは、電子部品が多種多様であって、相互接続される各電子部品のうちの１つを変更するときには、コネクタを変更するからである。しかも、このようなコネクタを作製するには、図２に示すハウジング２３を成形するための金型と、各接続用端子２２−１〜２２−５を成形するための幾つかの金型を必要とするので、コネクタを変更するときには、多くの金型を作製しなければならない。このため、コネクタのコストを低減することは困難であった。
　そこで、この発明の課題は、安価な電子部品用端子ピッチ変換コネクタを提供することにある。」（段落【0007】、【0008】） 
e)「【作用】この発明によれば、配線基板の縁には、絶縁枠が設けられ、この絶縁枠には、接続用端子群が並設されている。この接続用端子群のうちの各第１の接続用端子は、第１の電子部品の各外部端子と同一のピッチであり、これらの外部端子に接続される。また、この接続用端子群のうちの各第２の接続用端子は、第２の電子部品の各外部端子と同一のピッチであり、これらの外部端子に接続される。各第１の接続用端子と各第２の接続用端子は、配線基板のそれぞれのラインを介して短絡されているので、第１の電子部品の各外部端子と第２の電子部品の各外部端子が相互に接続されることとなる。」（段落【0010】） 
f)「【実施例】以下、この発明の実施例を添付図面を参照して説明する。
　図１は、この発明に係わる電子部品用端子ピッチ変換コネクタの一実施例を示している。この実施例のコネクタ１において、配線基板２は、折り曲げ自在のフレキシブル基板（略称「ＦＰＣ」）であり、その周りには、絶縁性の合成樹脂を成形してなる絶縁枠３が設けられている。この
絶縁枠３の上側には、複数の接続用端子４が並設され、この絶縁枠３の下側には、複数の接続用端子５が並設されている。上側の各接続用端子４のピッチは、下側の各接続用端子５のピッチよりも広くされており、上側の各接続用端子４が第１の電子部品７から導出された各外部端子８のピッチに一致し、下側の各接続用端子５のピッチが第２の電子部品９から導出された各外部端子１０のピッチに一致する
　これらの
接続用端子４，５
上側の各接続用端子４には
各外部端子８が挿入され
下側の各接続用端子５には
各外部端子１０が挿入される
　一方、
配線基板１には、複数のライン１１が形成されている
上側の各接続用端子４と下側の各接続用端子５は、これらのライン１１を介して接続されている
　このような構成であるから、第１の電子部品７の各外部端子８のピッチと、第２の電子部品９の各外部端子１０のピッチが異なるにもかかわらず、第１の電子部品７と第２の電子部品９をコネクタ１を介して接続することができる。
　さて、この実施例のコネクタ１では、各接続用端子４，５が同一の形状である。したがって、この接続用端子を成形するために、一種類の金型を作製するだけで済む。
　また、配線基板２は、比較的簡単な形状であるため、この配線基板２を形成する金型は簡単なものとなる。この配線基板２の各ライン１１は、エッチング処理によって形成されるので、これらのラインを簡単に変更できる。このため、配線基板２の外形を変更しなくても、つまり金型を変更しなくても、配線基板２のパターンを変更することにより、多様な配線基板を作製することができる。
　さらに、配線基板２の外形を変更しないので、絶縁枠の形状も変更する必要がない。この絶縁枠として、接続用端子を嵌め込んで固定するための多数の孔を並設したものを作製すれば、これらの孔のうちから幾つかを選択し、選択された各孔にそれぞれの接続用端子を嵌め込むことにより、これらの接続用端子のピッチを電子部品の各外部端子のピッチに簡単に適合させることができる。
　すなわち、配線基板のパターンを適宜に設定し、この配線基板と、絶縁枠と、幾つかの接続用端子を組み合わせることにより、多種多様な電子部品に適合する様々なコネクタを作製することができる。また、多くの金型を作製する必要がないので、少量、多品種であっても、コネクタのコストを低くすることが可能である。
　なお、上記実施例では、コネクタの接続用端子として、メス型のものを例示したが、電子部品の外部端子がメス型である場合は、コネクタの接続用端子をオス型にすれば良い。要するに、電子部品の外部端子に嵌合する複数の接続用端子を絶縁枠に並設すれば良い。
　また、配線基板として、フレキシブル基板を例示したが、他の種類の配線基板（多層配線基板を含む）であっても構わない。
　さらに、コネクタのサイズや形状は、コネクタの適用に応じて、適宜に設定すれば良い。
　また、第１および第２の電子部品だけでなく、３個以上の電子部品の相互接続にも、この発明のコネクタを適用することができる。
　さらに、電子部品は、集積回路、素子、スイッチ、プリント配線基板等、どのようなものでも構わない。」（段落【0011】〜【0024】）
g)「【効果】以上説明したように、この発明に係わるコネクタは、配線基板と、絶縁枠と、接続用端子群とを備え、各接続用端子を適宜のピッチで絶縁枠に並設して、これらの接続用端子を配線基板の各ラインによって接続する構成となっている。このコネクタの各接続用端子のピッチを変更したり、配線基板の各ラインを変更することにより、コネクタを種々の電子部品の相互接続に柔軟に適合させることができる。すなわち、このコネクタは、汎用性があり、少量、多品種に向いている。しかも、金型等の設備投資が少なくて済むので、コストの低減を図ることができる。勿論、大量生産すれば、コストをより低減することができる。」（段落【0025】）
　
　上記a〜gの記載事項及び図面の図示内容を総合勘案すると、刊行物１には、次の発明が記載されていると認められる。  
「複数の外部端子８と、複数の外部端子８を所定のピッチで導出する第１の電子部品７と、複数の外部端子１０と、複数の外部端子１０を複数の外部端子８のピッチより狭くされたピッチで導出する第２の電子部品９とを備え、
　第１の電子部品７と第２の電子部品９とを相互に接続する電子部品用端子ピッチ変換コネクタ１において、
　第１の電子部品７と第２の電子部品９との間に設けられ、上側で複数の外部端子８に嵌合する複数の接続用端子４と接続され、下側で複数の外部端子１０に嵌合する複数の接続用端子５と接続される配線基板２と、
　第１の電子部品７と第２の電子部品９との間に設けられ、上側には複数の接続用端子４が並設され、下側には複数の接続用端子５が並設される、配線基板２の周りに絶縁性の合成樹脂を形成してなる絶縁枠３と、
を備え、
　配線基板２には、上側に複数の外部端子８と同一ピッチで並接される複数の接続用端子４が接続され、下側に複数の外部端子１０と同一のピッチで配設される複数の接続用端子５が接続される複数のラインが形成され、
　複数の接続用端子４と複数の接続用端子５は、ラインを介して短絡された
　電子部品用端子ピッチ変換コネクタ１。」
　
(2)同じく、原査定の拒絶の理由において提示された、本願の出願前に頒布された刊行物である特開２００３−４８４９６号公報（以下「刊行物２」という。）には、図面と共に次の事項が記載されている。
a)「【請求項１】  高電圧の電源を出力する電源部と、この電源部に電力線を介して電源供給を受ける複数の電力分配部とを有し、この各電力分配部より負荷用電圧を負荷に供給する電力分配システムであって、
前記電源部からの前記電力線と前記各電力分配部とを中間コネクタを介して接続し、この各
中間コネクタに
コンバータを内蔵した
・・・
【請求項６】  請求項１〜請求項５記載の電力分配システムであって、
前記電源部からの前記電力線に接続された電力線側コネクタと前記中間コネクタの入力側コネクタ部との端子間距離を広く、前記電力分配部に設けられた電力分配部側コネクタと前記中間コネクタの出力側コネクタ部との端子間距離を狭く設定したことを特徴とする電力分配システム。
【請求項７】  請求項１乃至請求項６のいずれかに記載の電力分配システムに用いられる中間コネクタであって、前記電源部からの前記電力線に接続された前記電力線側コネクタと前記電力分配部側に設けられた前記電力分配部側コネクタとに共に装着され、前記電力線より供給された前記電源部の高電圧を当該高電圧より低い中間電圧に変換するコンバータを内蔵し、このコンバータで変換した中間電圧を前記電力分配部に出力することを特徴とする中間コネクタ。」（【特許請求の範囲】）
b)「【発明の実施の形態】以下、本発明の実施形態を図面に基づいて説明する。
　図１及び図２は本発明の第１実施形態を示し、図１は電力分配システムの回路ブロック図、図２は中間コネクタ、電力線側コネクタ及び電力分配部側コネクタの斜視図である。
　図１に示すように、電力分配システム１は、充放電可能なバッテリ２とエンジンの回転により発電するモータジェネレータ３とからなる電源部４を有し、この電源部４により４２Ｖの高電圧の電源が各電力線５を介して３つの電気接続箱６に供給されている。３つの電気接続箱６は例えばエンジンルーム、乗車室、トランクルームにそれぞれ配置され、各電気接続箱６からは複数の電力分配部である電子制御ユニット７に対して電力線８がそれぞれ導かれている。各電力線８の端部は中間コネクタ９を介して電子制御ユニット７に接続されている。具体的には、電力線８の端部には電力線用コネクタ１１が接続され、電子制御ユニット７には電力分配部側コネクタ１２が設けられおり、電力線用コネクタ１１が中間コネクタ９の入力コネクタ部９ａに、電力分配部側コネクタ１２が中間コネクタ９の出力コネクタ部９ｂにそれぞれ接続されている。
　中間コネクタ９にはコンバータ１３が内蔵されている。このコンバータ１３は、変換効率が良い直流−直流コンバータにて構成され、４２Ｖの高電圧の電源を当該高電圧より低く負荷用電圧（５Ｖ）よりも高い１２Ｖの中間電圧に変換する。又、図２に示すように、電力線用コネクタ１１と中間コネクタ９の入力側コネクタ部９ａとは４２Ｖ用に設けられ、その端子１１ａ，９ｃ間の距離Ｄ１が広く設定されている。電力分配部用コネクタ１２と中間コネクタ９の出力側コネクタ部９ｂとは１２Ｖ用に設けられ、その端子１２ａ，９ｄ間の距離Ｄ２が狭く設定されている。」（段落【0025】〜【0028】）
c)「又、前記第１実施形態では、電源部４からの電力線８に接続された電力線側コネクタ１１と中間コネクタ９の
入力側コネクタ部９ａ
の端子１１ａ
９ｃ間の距離Ｄ１を広く
出力側コネクタ部９ｄ
の端子
９ｄ間の距離Ｄ２を狭く設定した
中間コネクタ９の出力側を小型化できる
d)「次に、各コネクタ９，１１，１２の構造を図６〜図９に基づいて説明する。図６に示すように、電力線側コネクタ１１は、接合面側にメス端子１１ａを有し、接合面の両外側位置に第１係止爪部３６が設けられている。電力分配側コネクタ１２は、接合面側にオス端子１２ａを有し、接合面の両外側位置に第２係止溝部３８が設けられている。
　
中間コネクタ９は、外部ケース３９内にコネクタ移動部４０を有し
コネクタ移動部４０と外部ケース３９との間には
バネ４１が介在され
　又、上述したように、電力線用コネクタ１１と中間コネクタ９の入力側コネクタ部９ａとは４２Ｖ用に設けられ、その端子１１ａ，９ｃ間の距離Ｄ１が広く設定されている。電力分配部用コネクタ１２と中間コネクタ９の出力側コネクタ部９ｂとは１２Ｖ用に設けられ、その端子１２ａ，９ｄ間の距離Ｄ２が狭く設定されている。
　次に、コネクタ間の装着動作を説明する。図６にて矢印で示すように、電力線側コネクタ１１の接合面側を中間コネクタ９の入力側コネクタ部９ａに挿入すると、互いの端子１１ａ，９ｃが接続状態とされると共に第１係止爪部３６が第１係止溝部４３に係止される。これで、電力線側コネクタ１１と中間コネクタ９とが装着される。図７にて矢印で示すように、この状態より更に電力線側コネクタ１１の接合面側を中間コネクタ９の入力側コネクタ部９ａ内に挿入すると、コネクタ移動部４０がバネ４１のバネ力に抗してコネクタ装着位置側に移動する。そして、コネクタ移動部４０がコネクタ装着位置まで移動すると、図８に示すように、第２係止爪部４５がケース側係止溝４６に係止され、コネクタ移動部４０がコネクタ装着位置にロックされる。」（段落【0044】〜【0047】）
e)上記a、c、dの摘記事項及び【図６】〜【図９】の図示内容によると、
コネクタ移動部４０は、その形状が板状であり、内部に電子部品であるコンバータを内蔵するものであることから、
基板状
入力側コネクタ部９ａの横幅を長くし
出力側コネクタ部９ｂの横幅を短くし
横幅の長い入力側コネクタ部９ａの側部によって形成した係止部を、外部ケース３９の段差部にバネ４１を介して係止させた
　
　上記a〜dの記載事項、上記eの認定事項及び図面の図示内容を総合勘案すると、刊行物２には、次の発明が記載されていると認められる。
「外部ケース３９内に基板状のコネクタ移動部４０を有し、
　外部ケース３９の段差部にバネ４１を介在して係止される係止部を基板状のコネクタ移動部４０に形成し、
　基板状のコネクタ移動部４０の入力側コネクタ部９ａと出力側コネクタ部９ｂのうち、端子９ｃ間の距離Ｄ１を広く設定した入力側コネクタ部９ａの横幅を長くし、端子９ｄ間の距離Ｄ２を狭く設定した出力側コネクタ部９ｂの横幅を短くし、
　係止部を横幅の長い入力側コネクタ部９ａの側部によって形成することにより、出力側を小型化した
　中間コネクタ９。」
　
４．対比
　本願発明と刊行物１に記載された発明とを対比する。
　刊行物１に記載された発明の「複数の外部端子８」は、その構成及び機能からみて、本願発明の「複数の第１の端子」に相当し、以下同様に、
　「複数の外部端子８を所定のピッチで導出する第１の電子部品７」は「各第１の端子を幅方向に所定間隔をおいて保持する第１のハウジング」に、
　「複数の外部端子１０」は「複数の第２の端子」に、
　「複数の外部端子１０をｃのピッチより狭くされたピッチで導出する第２の電子部品９」は「各第２の端子を幅方向に所定間隔をおいて保持する第２のハウジング」に、
　「第１の電子部品７と第２の電子部品９とを相互に接続する」「電子部品用端子ピッチ変換コネクタ１」は、第１の電子部品７の各外部端子８のピッチより第２の電子部品９の各外部端子１０のピッチは狭いことから、「互いに端子間ピッチの異なる各第１の端子と各第２の端子とを接続する」「ピッチ変換用コネクタ」に、
　「第１の電子部品７と第２の電子部品９との間に設けられ、上側で複数の外部端子８に嵌合する複数の接続用端子４と接続され、下側で複数の外部端子１０に嵌合する複数の接続用端子５と接続される配線基板２」は、広いピッチの外部端子８と狭いピッチの外部端子１０との間で、ピッチ変換を行う機能を有する基板であるから、「各ハウジング間に設けられ」「るピッチ変換基板」に、
　「第１の電子部品７と第２の電子部品９との間に設けられ、」「配線基板２の周りに絶縁性の合成樹脂を形成してなる絶縁枠３」は、絶縁枠３が第１の電子部品７との間で、複数の外部端子８と複数の接続用端子４との嵌合により係合された状態にあるといえるから、「第１のハウジングと第２のハウジングとの間に設けられ、第２のハウジングに係合する中間ハウジング」に、
　それぞれ相当する。
　そして、刊行物１に記載された発明の「配線基板２には、上側に複数の外部端子８と同一ピッチで並接される複数の接続用端子４が接続され、下側に複数の外部端子１０と同一のピッチで配設される複数の接続用端子５が接続される複数のラインが形成され、複数の接続用端子４と複数の接続用端子５は、ラインを介して短絡された」ことと本願発明の「ピッチ変換基板には、一端側及び他端側が各第１の端子及び各第２の端子のピッチにそれぞれ対応し、各第１の端子及び各第２の端子に接触することにより各第１の端子と各第２の端子とを導通する複数の導電部」「を設け」ることとは、「ピッチ変換基板には、一端側及び他端側が各第１の端子及び各第２の端子のピッチにそれぞれ対応し、各第１の端子と各第２の端子とを導通する複数の導電部を設け」る点で共通する。
　
　したがって、上記両者の一致点および相違点は、次のとおりである。 
［一致点］
「複数の第１の端子と、各第１の端子を幅方向に所定間隔をおいて保持する第１のハウジングと、複数の第２の端子と、各第２の端子を幅方向に所定間隔をおいて保持する第２のハウジングとを備え、互いに端子間ピッチの異なる各第１の端子と各第２の端子とを接続するピッチ変換用コネクタにおいて、
　前記各ハウジング間に設けられるピッチ変換基板と、
　第１のハウジングと第２のハウジングとの間に設けられる、第２のハウジングに係合する中間ハウジングとを備え、
　ピッチ変換基板には、一端側及び他端側が各第１の端子及び各第２の端子のピッチにそれぞれ対応し、各第１の端子と各第２の端子とを導通する複数の導電部を設けるピッチ変換用コネクタ。」
　
［相違点］
　本願発明では、第１ハウジングに保持される複数の第１の端子が一端を一方の接続対象物に接続され、他端にピッチ変換基板の一端側が接続され、第２のハウジングに保持される複数の第２の端子が一端を他方の接続対象物に接続され、他端にピッチ変換基板の他端側が接続され、各第１の端子と各第２の端子とを導通する複数の導電部が各第１の端子と各第２の端子に接触し、ピッチ変換基板には、中間ハウジングの所定部分に係止することによって第２の端子との接続解除方向への移動を規制する係止部を設け、ピッチ変換基板の一端側と他端側のうち導電部のピッチが狭い方を広い方よりも幅が小さくなるように形成し、ピッチ変換基板の係止部をピッチ変換基板の一端側と他端側のうち幅の大きい部分によって形成したのに対して、刊行物１に記載された発明では、第１の電子部品７が配線基板２の上側に接続され、第２の電子部品９が配線基板２の下側に接続され、配線基板２には、上側に複数の外部端子８と同一ピッチで並接される複数の接続用端子４が接続され、下側に複数の外部端子１０と同一のピッチで配設される複数の接続用端子５が接続される複数のラインが形成された点。
　
５．当審の判断
　上記相違点について検討する。
　本願発明と刊行物２に記載された発明とを対比する。
　刊行物２に記載された発明の「外部ケース３９の段差部にバネ４１を介して係止される係止部」は、その構成及び機能からみて、本願発明の「中間ハウジングの所定部分に係止する」「係止部」に相当し、以下同様に、
　「基板状のコネクタ移動部４０」は、入力側コネクタ部９ａの広い距離Ｄ１の端子９ｃ間隔から、出力側コネクタ部９ｂの狭い距離Ｄ２の端子９ｄ間隔に変換する機能を有するものであるから、「ピッチ変換基板」に、
　「入力側コネクタ部９ａと出力側コネクタ部９ｂのうち、端子９ｃ間の距離Ｄ１を広く設定した入力側コネクタ部９ａの横幅を長くし、端子９ｄ間の距離Ｄ２が狭く設定した出力側コネクタ部９ｂの横幅を短く」することは「一端側と他端側のうち導電部のピッチが狭い方を広い方よりも幅が小さくなるように形成」することに、
　「係止部を横幅の長い入力側コネクタ部９ａの側部によって形成」することは「ピッチ変換基板の係止部をピッチ変換基板の一端側と他端側のうち幅の大きい部分によって形成」することに、
　「中間コネクタ」は、ピッチ変換機能を有するコネクタ移動部４０を外部ケース３９内に備えるものであるから、「ピッチ変換用コネクタ」に、
　それぞれ相当する。
　したがって、刊行物２に記載された発明は、「中間ハウジング内にピッチ変換基板を有し、中間ハウジングの所定部分に係止する係止部を形成し、ピッチ変換基板の一端側と他端側のうち導電部のピッチが狭い方を広い方よりも幅が小さくなるように形成し、ピッチ変換基板の係止部をピッチ変換基板の一端側と他端側のうち幅の大きい部分によって形成することにより、出力側を小型化したピッチ変換用コネクタ。」と言い換えることができる。
　そして、コネクタの技術分野において、第１ハウジングの端子が、一端を一方の接続対象物に接続され、他端をプリント基板の一端側に接続され、第２のハウジングの端子が、一端を他方の接続対象物に接続され、他端をプリント基板の他端側に接続され、複数の導電部による各第１の端子と各第２の端子との導通を接触に行うことは、本願出願前に周知の技術事項である（例えば、原査定の拒絶の理由において提示された特開平９−２２３５５３号公報の【特許請求の範囲】、段落【0001】、【0033】、【0037】、【図７】や、実願昭５９−１７５０５０号（実開昭６１−９０１８２号）のマイクロフィルムを参照。以下「周知の技術事項１」という。）。
　また、電子部品にプリント基板を立設させる技術分野において、プリント基板が電子部品との接続解除方向へ移動しないように、プリント基板に係止部を形成し、電子部品にハウジングに相当する支持部材を係合させ、係止部を支持部材の所定部分により係止させることは、本願出願前に周知の技術事項である（例えば、実用新案登録３０９２６１１号公報の立ち基板５、補強板６や、実願平４−５４０５７号（実開平６−１７２６９号）のＣＤ−ＲＯＭの立ち基板１８、上部腕部材１４や、実願平１−４２７７８号（実開平２−１３２９７０号）のマイクロフィルムのプリント基板３、補強部材６を参照。以下「周知の技術事項２」という。）。
　さらに、コネクタの技術分野において、コネクタの小型化を図ることは、当業者にとって広く知られた課題であることから、刊行物１に記載された発明においても当該課題を内在するものである。
　してみると、刊行物１に記載された発明の電子部品用端子ピッチ変換コネクタ１に、小型化を図るために、ピッチ変換用コネクタという同一に技術分野に属する刊行物２に記載された発明を適用して、電子部品用端子ピッチ変換コネクタ１を中間ハウジングとピッチ変換基板とから構成するとともに、当該適用に際して、上記周知の技術事項１を考慮して、刊行物２に記載された発明の「ピッチ変換基板」を導電部が表面に形成された基板の形で刊行物１に記載された発明に適用し、かつ、上記周知の技術事項２を考慮して、刊行物２に記載された発明の「中間ハウジング」を接続対象部品の一方に係合される形で刊行物１に記載された発明に適用して、上記相違点において本願発明が具備する発明特定事項に到達することは当業者が容易になし得たものである。
　また、本願発明の奏する効果についてみても、刊行物１、２に記載された発明及び周知の技術事項から当業者が予測できた効果の範囲内のものである。
　
６．むすび
　以上のとおりであるから、本願発明は、刊行物１、２に記載された発明及び周知の技術事項に基いて当業者が容易に発明をすることができたものであり、特許法第２９条第２項の規定により特許を受けることができない。  
　したがって、本願のその他の請求項に係る発明について検討するまでもなく、本願は拒絶すべきものである。  
 　  
　よって、結論のとおり審決する。